(57)【要約】【課題】 抽痰装置の送気管転換接続構造を提供する。【解決手段】主に接続管本体及び気体転換接続器を含み、該接続管本体は気管ジョイント、該気管ジョイントに連通する呼吸ジョイント及び該気管ジョイントと該呼吸ジョイントに連接する抽痰ジョイントを備える。該気体転換接続器は嵌接筒及び該嵌接筒一端から外へと延伸する穿接続管を備え、該嵌接筒の内部は該穿接続管内部と連通し、しかも該接続管本体の呼吸ジョイント上に嵌接し、該穿接続管の外部周縁サイズは該嵌接筒の外部周縁サイズより小さい。これにより該穿接続管は直接一般の酸素管と嵌接組合せが可能で、患者に対して即時の酸素輸送が可能で、抽痰装置の使用場所を大幅に拡大することができる。【選択図】  図２
0003129944.tif 000002
【実用新案登録請求の範囲】
【請求項１】
主に接続管本体と気体転換接続器からなり、
前記接続管本体は気管ジョイント、該気管ジョイントに連通する呼吸ジョイント、該気管ジョイントと該呼吸ジョイントに連通する抽痰ジョイントを設置し、
前記気体転換接続器は嵌接筒及び該嵌接筒の一端から外へと延伸する穿接続管を備え、該嵌接筒の内部は穿接続管内部と連通し、しかも該嵌接筒は前記接続管本体の呼吸ジョイント上に嵌接し、該穿接続管の外部周縁サイズは該嵌接筒の外部周縁サイズより小さいことを特徴とする抽痰装置の送気管転換接続構造。
【請求項２】
前記接続管本体は「十」字型を呈することを特徴とする請求項１記載の抽痰装置の送気管転換接続構造。
【請求項３】
前記嵌接筒外部にはその軸心に平行な多数の棒状突起を環状に設置することを特徴とする請求項１記載の抽痰装置の送気管転換接続構造。
【請求項４】
前記穿接続管は円錐形を呈し、しかも該嵌接筒から離れた一端の外縁直径は該嵌接筒一端に近接する外縁直径より小さいことを特徴とする請求項１記載の抽痰装置の送気管転換接続構造。
【請求項５】
前記穿接続管の外部表面には相互に重なり接続する複数の環状階段を形成することを特徴とする請求項４記載の抽痰装置の送気管転換接続構造。
【請求項６】
前記嵌接筒と該穿接続管の相互接続位置には外に向かって連結帯を延伸し、該連結帯の末端にはキャップ体を連接し、該キャップ体は該穿接続管の環状階段上を蓋合し封鎖することを特徴とする請求項５記載の抽痰装置の送気管転換接続構造。
【請求項７】
前記キャップ体の片側は外に向かい耳部を突出設置することを特徴とする請求項６記載の抽痰装置の送気管転換接続構造。
【考案の詳細な説明】
【技術分野】
【０００１】
本考案は医療過程等で使用する一種の抽痰装置に関する。特に一種の送気管転換接続構造を配置する抽痰装置の送気管転換接続構造に係る。
【背景技術】
【０００２】
一般の医療過程において、呼吸器使用及び気道切開患者の抽痰に対応するため、大部分の医師は統合式の抽痰装置を用い、病人に対して抽痰及び酸素輸送処置を行う。
公知の抽痰装置の送気管構造は、中華民国実用新案登録証書第M243213号が示すように、主に接続管本体及び呼吸管カバーから構成されている。該接続管本体は気管ジョイント、呼吸ジョイント及び抽痰ジョイントを備え、該気管ジョイントは該気管と相互に嵌接し、該呼吸ジョイントは該呼吸器蛇形管と相互に嵌接する。該呼吸管カバーは直筒状円形管及びリングカバーにより組成し、該円形管外部にはフランジを設置し、これにより該円形管一端は該呼吸ジョイント内に挿入接続される。該フランジ前端は該呼吸ジョイント端面にちょうど嵌設し、該リングカバー内縁には凹紋部を設置し該円形管の反対端と穿置し、該フランジの底面と相互に嵌設する。こうして、抽痰装置の送気管構造を組成する。
しかし、公知の抽痰装置の送気管構造は、実際の使用において、下記の問題点が存在する。
すなわち、一般の病室には呼吸器蛇形管は設置されていないため、抽痰装置を酸素輸送器と相互に対応し連接することができず、抽痰装置の使用地点と場所を大幅に制限してしまう。また、その呼吸管カバーの円形管は直筒状を呈するため、蛇形管と相互に嵌接する時、連接位置において気体漏れ及び相互離脱の問題が発生し易い。さらに、該呼吸管カバーは不使用の状況においては、該円形管上を蓋合し封鎖し、該蓋カバーは該円形管と分離設置する必要があり、封鎖する必要がある時、蓋カバーが見つからないという状況が発生し易い。
【特許文献１】中華民国実用新案登録証書第M243213号公報
【特許文献２】特開２００２−１７７３７８号公報
【考案の開示】
【考案が解決しようとする課題】
【０００３】
従来の公知構造には以下の欠点があった。
すなわち、抽痰装置と酸素輸送器を接続するための呼吸器蛇形管は一般の病室には設置されていないため、一般の病室では抽痰装置を使用できず、その使用地点と場所を大幅に制限してしまっている。また、直筒状を呈する呼吸管カバーの円形管は蛇形管との相互嵌接時に連接位置において、気体漏れ及び相互離脱の問題が発生し易い。さらに、該呼吸管カバーは使用しない時には、該円形管上を蓋合し該蓋カバーは該円形管と分離設置する必要があるため、封鎖する必要がある時に蓋カバーが見つからないという状況が発生し易い。
本考案は上記構造の問題点を解決した抽痰装置の送気管転換接続構造を提供するものである。
【課題を解決するための手段】
【０００４】
上記課題を解決するため、本考案は下記の抽痰装置の送気管転換接続構造を提供する。
それは主に抽痰装置の送気管転換接続構造を提供し、気体転換接続器は接続管本体上に連接し、しかも穿接続管は一般の酸素管と直接嵌接組合せが可能で、患者に対して即時に酸素輸送が可能で、抽痰装置の使用場所を大幅に拡大することができ、すなわちそれは抽痰装置の送気管転換接続構造を提供し、接続管本体及び気体転換接続器を含み、該接続管本体は気管ジョイント、該気管ジョイントに連通する呼吸ジョイント及び該気管ジョイントと該呼吸ジョイントに連接する抽痰ジョイントを備え、該気体転換接続器は嵌接筒及び該嵌接筒一端から外へと延伸する穿接続管を備え、該嵌接筒の内部は該穿接続管内部と連通し、しかも該接続管本体の呼吸ジョイント上に嵌接し、該穿接続管の外部周縁サイズは該嵌接筒の外部周縁サイズより小さい抽痰装置の送気管転換接続構造を提供する。
【０００５】
すなわち、請求項１の考案は、主に接続管本体と気体転換接続器からなり、
前記接続管本体は気管ジョイント、該気管ジョイントに連通する呼吸ジョイント、該気管ジョイントと該呼吸ジョイントに連通する抽痰ジョイントを設置し、
前記気体転換接続器は嵌接筒及び該嵌接筒の一端から外へと延伸する穿接続管を備え、該嵌接筒の内部は穿接続管内部と連通し、しかも該嵌接筒は前記接続管本体の呼吸ジョイント上に嵌接し、該穿接続管の外部周縁サイズは該嵌接筒の外部周縁サイズより小さいことを特徴とする抽痰装置の送気管転換接続構造である。
【０００６】
請求項２の考案は、前記接続管本体は「十」字型を呈することを特徴とする請求項１記載の抽痰装置の送気管転換接続構造である。
請求項３の考案は、前記嵌接筒外部にはその軸心に平行な多数の棒状突起を環状に設置することを特徴とする請求項１記載の抽痰装置の送気管転換接続構造である。
請求項４の考案は、前記穿接続管は円錐形を呈し、しかも該嵌接筒から離れた一端の外縁直径は該嵌接筒一端に近接する外縁直径より小さいことを特徴とする請求項１記載の抽痰装置の送気管転換接続構造である。
請求項５の考案は、前記穿接続管の外部表面には相互に重なり接続する複数の環状階段を形成することを特徴とする請求項４記載の抽痰装置の送気管転換接続構造である。
請求項６の考案は、前記嵌接筒と該穿接続管の相互接続位置には外に向かって連結帯を延伸し、該連結帯の末端にはキャップ体を連接し、該キャップ体は該穿接続管の環状階段上を蓋合し封鎖することを特徴とする請求項５記載の抽痰装置の送気管転換接続構造である。
請求項７の考案は、前記キャップ体の片側は外に向かい耳部を突出設置することを特徴とする請求項６記載の抽痰装置の送気管転換接続構造である。
【考案の効果】
【０００７】
本考案の抽痰装置の送気管転換接続構造によれば、接続管本体の呼吸ジョイントがそれぞれ蛇形管及び気体転換接続器と嵌接するため、一般或いは特殊病室共に使用可能で、その実用性及び使用領域を拡大することができる。別に穿接続管は円錐形を呈し、しかも複数の環状階段を形成し、さらに酸素管と連接時には緊密に結合されるため、気体の漏れを効果的に防止し、離脱問題を解決することもできる。さらに、キャップ体は連結帯により転換接続器上に連接されるため、酸素供給が不要である時には、キャップ体を直接穿接続管上に蓋合し、使用の利便性を向上させることができる。また、穿接続管は直接一般の酸素管と嵌接組合せが可能で、患者に対して即時の酸素輸送が可能で、抽痰装置の使用場所を大幅に拡大することができる。
【考案を実施するための最良の形態】
【０００８】
本考案の好適な抽痰装置の送気管転換接続構造の実施例を図面に沿って説明する。本考案の実施例の立体分解図及び組合せ指示図である図１、２に示すように、本考案の抽痰装置の送気管転換接続構造は主に接続管本体10及び気体転換接続器20から構成されている。
前記接続管本体10は「十」字型或いはその他各種形状を呈するが、本実施例では「十」字型とする。該接続管本体10は気管ジョイント11、呼吸ジョイント12、抽痰ジョイント13及びバックアップジョイント14を備える。該気管ジョイント11は円筒体を呈し、該接続管本体10の上方に形成する。該呼吸ジョイント12及びバックアップジョイント14もまた円筒体を呈し、しかもそれぞれ該気管ジョイント11の左、右両側において垂直を呈する。該抽痰ジョイント13は該気管ジョイント11の正下方に形成し、しかも該抽痰ジョイント13、該気管ジョイント11、該呼吸ジョイント12及び該バックアップジョイント14は相互に連通する。
前記気体転換接続器20は円形嵌接筒21及び該嵌接筒21一端から外へと延伸する穿接続管22を備える。該嵌接筒21は該接続管本体10の呼吸ジョイント12上に嵌接し、しかも、その外部にはその軸心に平行な多数の棒状突起211を環状に設置し、該気体転換接続器20と該接続管本体10の回転嵌接或いは抜き取りの便を図る。
また、該嵌接筒21の内部は該穿接続管22内部と連通し、該穿接続管22の外部周縁サイズは該嵌接筒21の外部周縁サイズより小さく、ψ7mmとψ16mmの配置或いはその他サイズの配置とすることができる。
【０００９】
前記穿接続管22は外側直径（外部周縁サイズ）が内側直径（嵌接筒の外部周縁サイズ）より小さい円錐管で(図４参照)、別に本実施例の穿接続管22は該円錐管外部表面において相互に重なり接続する複数の環状階段221を形成する。
この他、該嵌接筒21と穿接続管22の相互接続位置には外に向かって連結帯23を延伸し、該連結帯23の末端にはキャップ体24を連接し、該キャップ体24は該穿接続管22の環状階段221上を蓋合し封鎖する(図２参照)。しかも該キャップ体24片側は外に向かい耳部241を突出設置し、該穿接続管22上からの引き出しの便を図る。
【００１０】
本考案の実施例と酸素管及び抽痰器の組合せ指示図である図３に示すように、本考案は酸素管3、抽痰器4及び蓋カバー5を連接し、抽痰装置を組合せる。
組合せ時には、該酸素管3の一端は該穿接続管22上に嵌接し、該抽痰器4は該接続管本体10の抽痰ジョイント13上に連接する。別に該バックアップジョイント14上は蓋カバー5により封鎖する。
使用時には該接続管本体10の気管ジョイント11を患者の気管支上に固定し、該酸素管3により酸素を輸送し患者に提供する。該抽痰器4の反対端には負圧発生器(図示なし)を連接し、医療人員の押圧操作により患者に対して同時に抽痰作業を行うことができる。
このように穿接続管は直接一般の酸素管と嵌接組合せが可能で、患者に対して即時の酸素輸送が可能で、抽痰装置の使用場所を大幅に拡大することができる。
なお、本考案の特徴を損なうものでなければ、上記実施例に限定されるものでないことは勿論である。
【図面の簡単な説明】
【００１１】
【図１】本考案の実施例の立体分解図である。
【図２】本考案の実施例の組合せ指示図である。
【図３】本考案と実施例の酸素管及び抽痰管の組合せ指示図である。
【図４】本考案の転換接続器の別種の実施例の立体外観図である。
【符号の説明】
【００１２】
10 接続管本体
11  気管ジョイント
12  呼吸ジョイント
13  抽痰ジョイント
14  バックアップジョイント
20  気体転換接続器
21  嵌接筒
211  棒状突起
22  穿接続管
221  環状階段
23  連結帯
24  キャップ体
241  耳部
3  酸素管
4  抽痰器
5  蓋カバー
【図１】
0003129944.tif 000003
【図２】
0003129944.tif 000004
【図３】
0003129944.tif 000005
【図４】
0003129944.tif 000006